(57)【要約】【課題】  インタホンシステム副親機単体で画像および音声の記録を可能とする。【解決手段】  インタホンシステム副親機３００は、無線送受信部２４と、画像表示部１７と、スピーカ２９と、マイク２８と、入力された音声信号を無線送受信部２４により親機へ送信し、無線送受信部２４により受信した画像信号と音声信号とをそれぞれ画像表示部１７とスピーカ２９とを用いて出力する制御部２１と、着脱式のメモリ３２と、メモリ３２に、無線送受信部２４により受信した音声信号または、マイク２８より入力された音声信号を記録する音声記録手段と、メモリ３２に、無線送受信部２４より受信した画像信号を記録する画像記録手段とを備え、制御部２１は、メモリ３２に記録した音声信号をスピーカ２９より、画像信号を画像表示部１７より出力する。【選択図】        図３
2005260340.tif 000002
【特許請求の範囲】
【請求項１】
カメラを備えた子機と、
前記子機と接続された親機と、
前記親機と無線接続可能な副親機とで構成されるインタホンシステムで用いられる副親機であって、
前記親機と無線通信する無線通信手段と、
画像信号を画像として出力する画像出力手段と、
音声信号を音声として出力する音声出力手段と、
音声信号を入力する音声信号入力手段と、
前記無線通信手段を制御して前記音声信号入力手段から入力された音声信号を前記親機へ送信させ、前記画像出力手段を制御して受信した画像信号を出力させ、前記音声出力手段を制御して受信した音声信号を出力させる制御手段と、
着脱式の記録媒体と、
前記無線通信手段により受信した音声信号と、前記音声信号入力手段より入力された音声信号とを前記記録媒体に記録する音声記録手段と、
前記無線通信手段により受信した画像信号を前記記録媒体に記録する画像記録手段とを備え、
前記制御手段は、前記画像出力手段を制御して前記記録媒体に記録された画像信号を出力させ、前記音声信号出力手段を制御して前記記録媒体に記録された音声信号を出力させるインタホンシステムで用いられる副親機。
【請求項２】
撮影機器を接続する画像入力インタフェースをさらに備え、
前記制御手段は、
前記インタフェースに接続された撮影機器から入力された画像信号を前記記録媒体に記録する、請求項１に記載のインタホンシステムで用いられる副親機。
【発明の詳細な説明】
【技術分野】
【０００１】
本発明は、インタホンシステムで用いられる副親機に関し、特に親機と無線で通信可能なインタホンシステムで用いられる副親機に関する。
【背景技術】
【０００２】
インタホンシステムとしてワイヤレステレビドアホンがある。ワイヤレステレビドアホンは室内親機と、室内親機と有線接続されたカメラ付の室外子機と、室内親機と無線で接続された副親機とで構成される。このワイヤレステレビドアホンとして、特開２０００−２２４３１６号公報（特許文献１）には、カメラ付ドアホン子機と有線で接続されているモニタ付インタホン親機は、前記カメラ付ドアホン子機から伝送された音声信号と映像信号を無線信号で送信し、モニタ付インタホン副親機から無線送信される無線音声信号受信部を有し、モニタ付インタホン副親機は、前記モニタ付インタホン親機から無線信号により送信される無線音声信号と無線映像信号を受信し、音声信号を無線信号で送信する無線送受信部を有するワイヤレス通話システムが記載されている。
【０００３】
このワイヤレステレビドアホンにおいて、来訪者の情報として、音声および画像を記録することが望まれる。
【特許文献１】特開２０００−２２４３１６号公報
【発明の開示】
【発明が解決しようとする課題】
【０００４】
しかしながら特許文献１に記載のワイヤレス通話システムでは音声および画像を記録する機能が無い。また、親機に記録媒体を設けたとしても、副親機単体では、音声および画像を記録・再生できないという問題があった。
【０００５】
本発明は、かかる問題を解決するためになされたもので、この発明の目的は、副親機単体で、音声および画像の記録・再生を可能とするインタホンシステム副親機を提供することである。
【課題を解決するための手段】
【０００６】
上記目的を達成するために本発明のある局面に従うと、インタホンシステム副親機は、カメラを備えた子機と、子機と接続された親機と、親機と無線接続可能な副親機とで構成されるインタホンシステムで用いられる副親機であって、親機と無線通信する無線通信手段と、画像信号を画像として出力する画像出力手段と、音声信号を音声として出力する音声出力手段と、音声信号を入力する音声信号入力手段と、無線通信手段を制御して音声信号入力手段から入力された音声信号を親機へ送信させ、画像出力手段を制御して受信した画像信号を出力させ、音声出力手段を制御して受信した音声信号を出力させる制御手段と、着脱式の記録媒体と、無線通信手段により受信した音声信号と、音声信号入力手段より入力された音声信号とを記録媒体に記録する音声記録手段と、無線通信手段により受信した画像信号を記録媒体に記録する画像記録手段とを備え、制御手段は、画像出力手段を制御して記録媒体に記録された画像信号を出力させ、音声信号出力手段を制御して記録媒体に記録された音声信号を出力させる。
【０００７】
この発明に従えば、インタホンシステム副親機は着脱式の記録媒体を備えることで、親機から受信した音声信号と画像信号と、音声信号入力手段より入力された音声信号とを記録媒体に記録する。
【０００８】
この結果、副親機単体で、来訪者の情報として音声および画像を記録することが可能となる。また、副親機単体で記録した情報の再生が可能となる。
【０００９】
好ましくは、撮影機器を接続する画像入力インタフェースをさらに備え、制御手段は、インタフェースに接続された撮影機器から入力された画像信号を記録媒体に記録する。
【００１０】
この発明に従えば、画像入力インタフェースを備えることで、カメラあるいはビデオなどの外部機器からの画像を入力し記録できる。この結果、カメラを備えた子機を用いることなく、ユーザはインタホンシステム副親機単体で、画像を記録・再生することができる。また、来訪者以外の画像を撮影することもできる。
【発明を実施するための最良の形態】
【００１１】
以下、本発明の実施の形態について図面を参照しながら説明する。なお、図中同一符号は同一または相当する部材を示し、重複する説明は繰り返さない。
【００１２】
図１は、本実施の形態のインタホンシステムの外観図である。図１を参照して、インタホンシステムは、室外の子機１００と、子機１００とインタホン線５を経由して接続された室内の親機２００と、親機２００と無線接続された副親機３００とを含む。
【００１３】
子機１００は、子機呼出ボタン１と、子機カメラ２と、子機マイク３と、子機スピーカ４とを含む。子機１００は室外に設置され、来訪者が使用する。子機呼出ボタン１は来訪を通知するボタンであり、かつインタホンシステムを起動させるボタンでもある。子機カメラ２はＣＣＤ（Charge Coupled Devices）等を用いたアナログ式カメラであり、来訪者の撮影に用いられる。子機マイク３は来訪者の音声の入力に用いられる。子機スピーカはチャイム音の出力および、室内の親機２００から返信される音声の出力に用いられる。
【００１４】
親機２００は、無線通信用の親機アンテナ８と、親機画像表示部９と、親機応答ボタン１０と、親機マイク６と、親機スピーカ７とを含む。親機画像表示部９はＬＣＤ（Liquid Crystal Display）等の画像表示装置であり、子機カメラ２から入力された画像の表示に用いられる。親機応答ボタン１０は子機１００からの呼出に応じるボタンであり、子機１００との通話を開始するボタンである。親機マイク６は室内のユーザの音声を入力するために用いられる。親機スピーカ７はチャイム音の出力および室外の子機１００からの音声の出力に用いられる。親機アンテナ８は親機２００と副親機３００との無線接続に用いられる。
【００１５】
副親機３００は、無線通信用のアンテナ１６と、画像表示部１７と、応答ボタン１９と、マイク２８と、スピーカ２９とを含む。アンテナ１６は親機２００との無線接続に用いられる。親機２００と副親機３００とは親機アンテナ８と副親機３００のアンテナ１６とを介して、ブルートゥース等の無線媒体により、親機２００から副親機３００へ映像の片方向の無線伝送および音声の双方向無線伝送を行なう。画像表示部１７はＬＣＤ等の画像表示装置であり、親機２００から無線伝送される、子機カメラ２から入力された画像の表示に用いられる。これ以降、記載を省略するが、副親機３００と子機１００との通話は、必ず親機２００経由で行なわれる。応答ボタン１９は子機１００からの呼出に応じるボタンであり、子機１００との通話を開始するボタンである。マイク２８は副親機３００のユーザの音声を入力するために用いられる。スピーカ２９はチャイム音の出力および室外の子機１００からの音声の出力に用いられる。また、副親機３００の電源は充電式の電池であり、無線通信機能と併せ、ケーブルに拘束されること無く、自由に持ち運びが可能である。
【００１６】
このようなインタホンシステムの動作概略を説明する。来訪者が室外の子機１００の子機呼出ボタン１を押すと、インタホン線５を経由して、室内の親機２００に映像信号が伝送される。親機２００は伝送された来訪者画像を画像表示部９に表示する。この状態で親機応答ボタン１０が押されると、子機１００と親機２００との間で双方向音声通信が開始される。子機マイク３から入力された音声が親機スピーカ７から出力され、親機マイク６から入力された音声が子機スピーカ４から出力される。
【００１７】
また、子機１００からの呼出時には、親機２００の画像表示部９だけでなく、副親機３００の画像表示部１７にも来訪者画像が表示される。副親機３００の応答ボタン１９を押すと、親機２００を経由して、子機１００と副親機３００との間で双方向音声通話が開始される。子機マイク３から入力された音声が副親機３００のスピーカ２９から出力され、副親機３００のマイク２８から入力された音声が子機スピーカ４から出力される。
【００１８】
このようにして、子機１００と親機２００または副親機３００との間で、通話を行なうことができる。
【００１９】
副親機３００は、さらに、操作部１８と、着脱式の記録媒体であるカード型メモリ３２を挿入可能なメモリカードスロット３４と、カード型カメラ３１を挿入可能なカード型カメラスロット３３と、アナログカメラ３０を接続可能な映像入力ピンジャック３５とを含む。また操作部１８は、画像録画スイッチと、画像再生スイッチと、音声録音スイッチと、音声再生スイッチとを含む。
【００２０】
カード型メモリ３２は、フラッシュＲＡＭ（Random Access Memory）等の不揮発性メモリを用いた記録媒体であり、メモリカードスロット３４に挿入することで、副親機３００の記録媒体として用いられる。副親機３００は、カード型メモリ３２に音声信号および画像信号を記録する。これにより、通話中の画像または音声を記録することが可能となる。
【００２１】
カード型カメラ３１は、ＣＣＤ等を用いたデジタル式のカメラであり、カード型カメラスロット３３に挿入することで、副親機３００の画像取得用のカメラとして用いられる。
【００２２】
外部接続用アナログカメラ３０はＮＴＳＣ方式のビデオカメラであり、映像入力ピンジャック３５を介して副親機３００に接続される。副親機３００は外部接続用アナログカメラ３０を用いて動画を入力することができる。
【００２３】
操作部１８のスイッチは、カード型メモリ３２に画像および音声を記録するため、または、カード型メモリ３２に記録した画像および音声を再生するために用いられる。
【００２４】
副親機３００の操作部１８の画像録画スイッチを押すと、カード型メモリ３２に子機カメラ２からの画像を録画開始する。再度、画像録画スイッチを押すと録画を終了する。操作部１８の画像再生スイッチを押すと、録画された画像を画像表示部１７に表示する。また操作部１８の音声録音スイッチを押すと、子機マイク３から入力された音声をカード型メモリ３２に録音開始する。再度、音声録音スイッチを押すと録音を終了する。操作部１８の音声再生スイッチを押すと、録音された音声をスピーカ２９より出力する。
【００２５】
さらに、音声録音スイッチと音声再生スイッチとを同時に押すと、録音対象を子機マイク３より入力された音声から、副親機３００のマイク２８より入力された音声へと切換えることができる。これにより、副親機３００単体で録音機として使用することができる。再度、音声録音スイッチと音声再生スイッチとを同時に押すことで、録音対象を副親機３００のマイク２８より入力された音声から、子機マイク３より入力された音声へと戻すことができる。
【００２６】
画像の録画に関しても、画像録画スイッチと、画像再生スイッチを同時に押すことで、子機カメラ２からの画像と、外部接続用アナログカメラ３０からの画像と、カード型カメラ３１からの画像とを、順に切換えることができ、録画対象を変更できる。これにより、来訪者の映像を記録するにとどまらず、副親機３００単体でデジタルカメラあるいはデジタルビデオとして使用できる。
【００２７】
ここで、副親機３００の記録媒体として着脱可能なカード型メモリ３２を用いることで、ユーザは必要とする記憶容量を選択することができる。また、カード型メモリ３２としてコンピュータ等に接続可能な規格のメモリを用いることで、コンピュータ等に接続して、記録した画像および音声データのバックアップ、あるいは編集作業を容易に行なうことができる。
【００２８】
なお、操作部１８に画像と音声とを記録開始するスイッチを個別に設けたが、画像と音声とを同時に記録するスイッチをさらに設けてもよい。また、画像および音声の記録あるいは再生を終了させる停止ボタンをさらに設けてもよい。また、録音対象を切換える録音対象選択スイッチ、録画対象を切換える録画対象選択スイッチをさらに設けてもよい。
【００２９】
以下、ブロック図を用いてインタホンシステムの詳細動作について説明する。図２は、本実施の形態のインタホンシステムの子機および親機の構成を示すブロック図である。図２を参照して、子機１００は、子機呼出ボタン１と、子機カメラ２と、子機マイク３と、子機スピーカ４とを含む。
【００３０】
子機呼出ボタン１は、子機１００から親機２００または副親機３００を呼出すボタンである。子機カメラ２は、ＣＣＤ等を用いたビデオカメラであり映像信号を入力するために用いられる。子機マイク３は来訪者の音声を入力するために用いられる。子機スピーカ４はチャイム音の出力および室内の親機２００または副親機３００からの音声の出力に用いられる。これら子機の機能は全て、親機２００の親機制御部１１に接続されている。親機制御部１１は全体を制御するＣＰＵ（Central Processing Unit）であり、親機と子機の動作全体を制御する。つまり、子機１００は親機２００により制御される。
【００３１】
親機２００は親機制御部１１と、それに接続された、親機応答ボタン１０と、親機音声ＣＯＤＥＣ１２と、親機無線送受信部１３と、親機圧縮／伸張部１４と、親機画像表示コントローラ１５とを含む。さらに親機２００は親機無線送受信部１３に接続された親機アンテナ８と、親機画像表示コントローラ１５に接続された親機画像表示部９と、親機音声ＣＯＤＥＣ１２に接続された親機マイク６と親機スピーカ７とを含む。
【００３２】
親機応答ボタン１０は子機１００からの呼出に応じるボタンであり、子機１００との通話を開始するボタンである。
【００３３】
親機マイク６は室内のユーザの音声を入力するために用いられる。親機スピーカ７はチャイム音の出力および室外の子機１００からの音声の出力に用いられる。親機音声ＣＯＤＥＣ１２はアナログ信号をデジタル信号に変換するＡ／Ｄ変換器と、デジタル信号をアナログ信号に変換するＤ／Ａ変換器とを一体化したものである。親機音声ＣＯＤＥＣ１２は、アナログ信号として入力された音声を内部処理のためデジタル信号に変換し、出力時に再度アナログ信号へと戻すために用いられる。
【００３４】
親機画像表示部９はＬＣＤ等の画像表示装置である。親機画像表示コントローラ１５は、親機制御部１１からの画像信号を、親機画像表示部９に画像として表示するためのコントローラである。親機圧縮／伸長部１４はデジタル画像データの、圧縮／伸長を行なう。
【００３５】
親機無線送受信部１３は親機アンテナ８を経て、副親機３００にデジタル画像データおよびデジタル音声データを伝送する。
【００３６】
来訪者により子機呼出ボタン１が押された際に、ユーザが親機応答ボタン１０を押すことで、子機１００と親機２００との間で通話が開始される。子機カメラ２から親機制御部１１に入力された画像信号は親機画像表示コントローラ１５を経由して親機画像表示部９に表示される。
【００３７】
また、親機制御部１１と親機音声ＣＯＤＥＣ１２を経由して、子機マイク３から入力された音声が親機スピーカ７から出力され、親機マイク６から入力された音声が子機スピーカ４から出力される。このようにして子機１００と親機２００との間で相互通話が行なわれる。
【００３８】
図３は、本実施の形態のインタホンシステムの副親機の構成を示すブロック図である。図３を参照して、副親機３００は全体を制御するＣＰＵである制御部２１と、それに接続された、操作部１８と、応答ボタン１９と、画像表示コントローラ２２と、圧縮／伸張部２３と、無線送受信部２４と、ＹＵＶデコーダ２５と、メモリコントローラ２６と、音声ＣＯＤＥＣ２７と、カード型カメラ３１を挿入可能なカード型カメラスロット３３とを含む。
【００３９】
さらに副親機３００は画像表示コントローラ２２に接続された画像表示部１７と、無線送受信部２４に接続されたアンテナ１６と、音声ＣＯＤＥＣ２７に接続されたマイク２８とスピーカ２９と、メモリコントローラ２６に接続されたメモリカードスロット３４と、、ＹＵＶデコーダ２５に接続された映像入力ピンジャック３５と、充電式の電源であるバッテリ３６とを含む。
【００４０】
メモリカードスロット３４はカード型メモリ３２を挿入可能なメモリインタフェースである。フラッシュＲＡＭ等の不揮発性メモリを用いた記録媒体であるカード型メモリ３２を、メモリカードスロット３４に挿入することで、副親機３００の記録媒体として用いる。メモリコントローラ２６は、制御部２１からの指示に基づきデジタルデータを、カード型メモリ３２に書込みおよび読出しするコントローラである。
【００４１】
副親機３００は、制御部２１に入力された音声信号および画像信号をメモリコントローラ２６を介してカード型メモリ３２に書込む。これにより、通話中の画像または音声を記録することが可能となる。
【００４２】
カード型カメラスロット３３はデジタルカメラインタフェースであり、ＣＣＤ等を用いたデジタル式のカード型カメラ３１を、カード型カメラスロット３３に挿入することで、副親機３００の画像取得用のカメラとして用いる。
【００４３】
映像入力ピンジャック３５はＮＴＳＣ方式のビデオカメラを接続するインタフェースである。ＹＵＶデコーダ２５は映像入力ピンジャック３５に接続された外部接続用アナログカメラ３０より入力されたＮＴＳＣ方式のアナログ信号をデジタル信号に変換する。
【００４４】
充電器２０は副親機３００の電源であるバッテリ３６の充電のために用いられる。
【００４５】
また操作部１８は、画像録画スイッチと、画像再生スイッチと、音声録音スイッチと、音声再生スイッチとを含む。操作部１８のスイッチは、カード型メモリ３２に画像および音声を記録するため、または、カード型メモリ３２に記録した画像および音声を再生するために用いられる。
【００４６】
応答ボタン１９と、画像表示コントローラ２２と、画像表示部１７と、圧縮／伸張部２３と、アンテナ１６と、無線送受信部２４と、音声ＣＯＤＥＣ２７と、マイク２８と、スピーカ２９とは、親機２００と同じ機能であるので説明を繰り返さない。
【００４７】
子機１００と副親機３００との通話動作について説明する。来訪者により子機呼出ボタン１が押されると、親機２００からの起動信号およびデジタル画像データが、アンテナ１６および無線送受信部２４を経て副親機３００に伝送される。デジタル画像データは、圧縮／伸長部２３にて伸長され、画像表示コントローラ２２を経由して画像表示部１４に表示される。制御部２１はこれらの動作を制御する。
【００４８】
さらにユーザにより副親機３００の応答ボタン１９が押されると、マイク２８およびスピーカ２９からの音声入出力信号を、音声ＣＯＤＥＣ２７を経由して制御部２１に供し、無線送受信部２４、アンテナ１６を介し、親機２００を中継して子機１００との相互通話が開始される。
【００４９】
画像および音声の記録動作、および、記録した画像および音声の再生動作について説明する。
【００５０】
音声録音動作として、カード型メモリ３２がメモリカードスロット３４に挿入された状態で、操作部１８の音声録音スイッチが押されると、この指令を受けた制御部２１は、メモリコントローラ２６を制御し、録音対象のデジタル音声データを、カード型メモリ３２に書込む。
【００５１】
録音対象のデジタル音声データとして、副親機のマイク２８から音声ＣＯＤＥＣ２７を経由して入力されるデジタル音声データと、親機２００から伝送される音声データとを選択できる。
【００５２】
音声再生動作として、操作部１８の音声再生スイッチが押されると、制御部２１は、カード型メモリ３２からメモリコントローラ２６を介してデジタル音声データを読出し、音声ＣＯＤＥＣ２７を経由して、スピーカ２９より音声出力する。
【００５３】
画像録画動作として、音声録音動作時と同様に、カード型メモリ３２がメモリカードスロット３４に挿入された状態で操作部１８の画像録画スイッチが押されると、この指令を受けた制御部２１は、録画対象のデジタルデータを、メモリコントローラ２６を介してカード型メモリ３２に書込む。
【００５４】
録画対象のデジタルデータとして、副親機３００のカードカメラスロット３３に挿入されるカード型カメラ３１からの画像データと、映像入力ピンジャック３５を介して入力されるＮＴＳＣ方式の外部接続用アナログカメラ３０からの画像をＹＵＶデコーダ２５によりデジタル化したデータと、親機２００から受信した画像データとを選択できる。
【００５５】
画像再生動作として、操作部１８の画像再生スイッチが押されると、制御部２１は、録画されたカード型メモリ３２からの画像デジタルデータをメモリコントローラ２６を介して読出し、画像表示コントローラ２２を経て画像表示部１７に出力する。
【００５６】
なお、マイク２８を用いた録音動作時、あるいは外部接続用アナログカメラ３０またはカード型カメラ３１を用いた録画動作時は、副親機３００単体での動作となるため親機２００との無線通信は必要なく、無線送受信部２４など不要部分の電源供給を停止することで電池寿命を長くできる。
【００５７】
以上本実施の形態のインタホンシステム副親機に従えば、インタホンシステム副親機は着脱式の記録媒体を備えることで、無線通信手段により受信した音声信号と音声信号入力手段より入力された音声信号と無線通信手段により受信した画像信号の記録・再生が可能となる。
【００５８】
この結果、インタホンシステム副親機において来訪者の情報を管理することが可能となる。また、副親機単体で音声および画像の記録・再生が可能となる。
【００５９】
また、画像入力インタフェースを備えることで、カメラあるいはビデオなどの外部機器からの画像を入力し記録できる。この結果、カメラを備えた子機を用いることなく、ユーザはインタホンシステム副親機単体で、画像を記録・再生することができる。また、来訪者以外の画像を撮影することもできる。
【００６０】
また、電源は充電式のバッテリであり、無線通信機能と併せ、ケーブルに拘束されること無く、自由に持ち運びが可能である。この結果、携帯して持ち歩くことができ、室内のみでなく室外でも、画像および音声を記録・再生することができる。
【００６１】
今回開示された実施の形態はすべての点で例示であって制限的なものではないと考えられるべきである。本発明の範囲は、上記した説明ではなくて特許請求の範囲によって示され、特許請求の範囲と均等の意味および範囲内のすべての変更が含まれることが意図される。
【図面の簡単な説明】
【００６２】
【図１】本実施の形態のインタホンシステムの外観図である。
【図２】本実施の形態のインタホンシステムの子機および親機の構成を示すブロック図である。
【図３】本実施の形態のインタホンシステムの副親機の構成を示すブロック図である。
【符号の説明】
【００６３】
１  子機呼出ボタン、２  子機カメラ、３  子機マイク、４  子機スピーカ、５  インタホン線、６  親機マイク、７  親機スピーカ、８  親機アンテナ、９  親機画像表示部、１０  親機応答ボタン、１１  親機制御部、１２  親機音声ＣＯＤＥＣ、１３  親機無線送受信部、１４  親機圧縮／伸長部、１５  親機画像表示コントローラ、１６  アンテナ、１７  画像表示部、１８  操作部、１９  応答ボタン、２０  充電器、２１  制御部、２２  画像表示コントローラ、２３  圧縮／伸長部、２４  無線送受信部、２５  ＹＵＶデコーダ、２６  メモリコントローラ、２７  音声ＣＯＤＥＣ、２８  マイク、２９  スピーカ、３０  外部接続用アナログカメラ、３１  カード型カメラ、３２  カード型メモリ、３３  カード型カメラスロット、３４  メモリカードスロット、３５  映像入力ピンジャック、３６  バッテリ、１００  子機、２００  親機、３００  副親機。
【図１】
2005260340.tif 000003
【図２】
2005260340.tif 000004
【図３】
2005260340.tif 000005